(57)【特許請求の範囲】
【請求項１】
トナー像を加熱し、記録材に定着する定着部材と、
該定着部材に記録材を圧接させる加圧部材と、
カムの回転によって前記定着部材との接触離間が制御され、前記定着部材に接触して前記定着部材の表面を加熱する外部加熱部材と、
前記カムの回転によって前記外部加熱部材との接触離間が制御され、前記外部加熱部材に接触して前記外部加熱部材をクリーニングするクリーニング部材と、
を有する定着装置において、
前記定着装置を休止させる場合には、前記カムを第一所定量回転させて前記外部加熱部材と前記定着部材を離間させ、その後に前記カムを第二所定量回転させて前記外部加熱部材と前記クリーニング部材を離間させることにより、前記クリーニング部材、前記外部加熱部材、前記定着部材の三者を相互に離間させる接触離間機構を有することを特徴とする定着装置。
【請求項２】
前記外部加熱部材は加熱ベルトからなることを特徴とする請求項１に記載の定着装置。
【請求項３】
前記クリーニング部材はクリーニングウェブからなることを特徴とする請求項１または２に記載の定着装置。
【請求項４】
前記接触離間機構は、電源オフ時に前記クリーニング部材を前記外部加熱部材から離間させていることを特徴とする請求項１〜３のいずれか１項に記載の定着装置。
【請求項５】
記録材に画像を形成する画像形成部と、請求項１〜４のいずれか１項に記載の定着装置とを備えたことを特徴とする画像形成装置。
【発明の詳細な説明】
【技術分野】
【０００１】
本発明は、電子写真方式の画像形成装置に関し、特に、トナー像を定着する定着装置に関する。
【背景技術】
【０００２】
電子写真方式の画像形成装置では、トナー像を加熱して定着する定着装置が用いられている。
【０００３】
画像形成装置の高速化に対応して高速処理が可能な定着装置が要望されている。また、カラー画像形成装置の普及に伴って、カラートナー像の定着に適した定着装置が要望されている。
【０００４】
高速化やカラー化に対応できる定着技術には、トナー像を加熱する定着部材を効率良く加熱し、定着処理工程の中で起こる定着部材の温度低下に迅速に対応して定着部材に熱を補給する技術が求められている。
【０００５】
このような定着技術として、定着部材の表面を加熱する外部加熱の技術が注目されている。
【０００６】
カラートナー像の定着においては、画像を形成するトナーの量が多いことから、トナー像を包むようにトナー像に接触し、加熱する定着部材が用いられ、このような定着部材としては、例えば、ソフトローラと称されているものがある。ソフトローラは金属等の基体上に弾性層を形成したローラである。従来のソフトローラはヒータを内蔵しており、内蔵ヒータにより内部から加熱される。
【０００７】
定着ローラの表面温度は、温度センサで検知された温度が高温側の閾値を超えたときにヒータをオフし、低温側の閾値を下回ったときにヒータをオンする制御により、所定の定着温度に維持される。
【０００８】
このような温度制御において、ソフトローラの場合、弾性層を有しない所謂ハードローラに比較して温度変化に対する応答速度が低く、定着ローラの表面温度の制御が困難になる。
【０００９】
この問題を解決する手段として外部加熱部材が用いられる。外部加熱部材は定着部材の表面を外部から加熱するので、定着部材の表面温度の応答速度が速く、定着部材にソフトローラを用いた場合でも定着部材の表面温度を適正値に維持することが可能となる。
【００１０】
外部加熱部材を用いた定着装置としては、特許文献１に記載されたものがある。
【００１１】
特許文献１では、定着部材を外部加熱部材で加熱する定着装置において、外部加熱部材である加熱ベルトをクリーニング手段でクリーニングすることにより、外部加熱部材と定着部材とを清浄に保つことが提案されている。
【先行技術文献】
【特許文献】
【００１２】
【特許文献１】特開２００９−３００６２４号公報
【発明の概要】
【発明が解決しようとする課題】
【００１３】
特許文献１では、外部加熱部材からクリーニング手段に移りクリーニング手段に付着しているトナーを、クリーニング手段に振動を与えることにより除去している。しかしながら、クリーニング手段からトナーを完全に除去することは不可能である。
【００１４】
定着装置の停止時に外部加熱部材は停止するが、外部加熱部材とクリーニング手段とが接触した状態で外部加熱部材が停止して、外部加熱部材とクリーニング手段との間にトナーが介在した状態で停止することになる。この状態で電源オフにより温度が低下すると、トナーが固化し、外部加熱部材とクリーニング手段とが貼り付いた状態となり、次の動作時に外部加熱部材である加熱ベルトが変形したり、クリーニング手段として用いられるクリーニングウェブが破れたりする場合がある。
【００１５】
本発明は前述した問題を解決し、外部加熱部材や定着部材のクリーニングが長期間に亘り正常に行われ、長期間に亘り良好な定着を行う定着装置及び画像形成装置を提供することを目的とする。
【課題を解決するための手段】
【００１６】
前記目的は下記の発明により達成される。
【００１７】
１．トナー像を加熱し、記録材に定着する定着部材と、
該定着部材に記録材を圧接させる加圧部材と、
カムの回転によって前記定着部材との接触離間が制御され、前記定着部材に接触して前記定着部材の表面を加熱する外部加熱部材と、
前記カムの回転によって前記外部加熱部材との接触離間が制御され、前記外部加熱部材に接触して前記外部加熱部材をクリーニングするクリーニング部材と、
を有する定着装置において、
前記定着装置を休止させる場合には、前記カムを第一所定量回転させて前記外部加熱部材と前記定着部材を離間させ、その後に前記カムを第二所定量回転させて前記外部加熱部材と前記クリーニング部材を離間させることにより、前記クリーニング部材、前記外部加熱部材、前記定着部材の三者を相互に離間させる接触離間機構を有することを特徴とする定着装置。
【００２１】
２．前記外部加熱部材は加熱ベルトからなることを特徴とする前記１に記載の定着装置。
【００２２】
３．前記クリーニング部材はクリーニングウェブからなることを特徴とする前記１又は２に記載の定着装置。
【００２３】
４．前記接触離間機構は、電源オフ時に前記クリーニング部材を前記外部加熱部材から離間させていることを特徴とする前記１〜３のいずれか１項に記載の定着装置。
【００２４】
５．記録材に画像を形成する画像形成部と、前記１〜４のいずれか１項に記載の定着装置とを備えたことを特徴とする画像形成装置。
【発明の効果】
【００２５】
本発明においては、休止時に、クリーニング部材が外部加熱部材から離間している。したがって、クリーニング部材と外部加熱部材とが停止しているときに発生するクリーニング部材と外部加熱部材との貼り付きが防止される。
【図面の簡単な説明】
【００２６】
【図１】本発明の実施の形態に係る画像形成装置であるカラー画像形成装置の全体構成を示す図である。
【図２】図２は本発明の実施１の形態に係る定着装置の構成を示す図である。
【図３】接触離間機構を示す図である。
【図４】接触離間機構を示す図である。
【図５】接触離間機構を示す図である。
【図６】本発明の実施の形態２に係る定着装置を示す図である。
【図７】本発明の実施の形態３における制御のフローチャートである。
【図８】本発明の実施の形態４における制御のフローチャートである。
【図９】本発明の実施の形態５における制御のフローチャートである。
【発明を実施するための形態】
【００２７】
以下に、本発明を本発明の実施の形態に係る画像形成装置に基づいて説明するが、本発明は該実施の形態に限定されない。
＜画像形成装置＞
図１は本発明の実施の形態に係る画像形成装置であるカラー画像形成装置の全体構成を示す図である。
【００２８】
画像形成装置は、タンデム型カラー画像形成装置と称せられるもので、複数組の画像形成ユニット１０Ｙ、１０Ｍ、１０Ｃ、１０Ｋと中間転写体ユニット７とを有する画像形成部Ａ及び定着装置９を備える。画像形成装置は、さらに、その上部に自動原稿搬送装置ＤＦ及び原稿画像読み取り装置ＳＣを備える。
【００２９】
イエロー色の画像を形成する画像形成ユニット１０Ｙは、ドラム状の感光体１Ｙと、感光体１Ｙの周囲に配置された帯電装置２Ｙ、露光装置３Ｙ、現像装置４Ｙ、一次転写装置としての一次転写ローラ５Ｙ、及びクリーニング装置６Ｙとを有する。マゼンタ色の画像を形成する画像形成ユニット１０Ｍは、ドラム状の感光体１Ｍと、感光体１Ｍの周囲に配置された帯電装置２Ｍ、露光装置３Ｍ、現像装置４Ｍ、一次転写装置としての一次転写ローラ５Ｍ、及びクリーニング装置６Ｍとを有する。シアン色の画像を形成する画像形成ユニット１０Ｃは、ドラム状の感光体１Ｃと、感光体１Ｃの周囲に配置された帯電装置２Ｃ、露光装置３Ｃ、現像装置４Ｃ、一次転写装置としての一次転写ローラ５Ｃ、及びクリーニング装置６Ｃとを有する。黒色画像を形成する画像形成ユニット１０Ｋは、ドラム状の感光体１Ｋと、感光体１Ｋの周囲に配置された帯電装置２Ｋ、露光装置３Ｋ、現像装置４Ｋ、一次転写装置としての一次転写ローラ５Ｋ、及びクリーニング装置６Ｋとを有する。
【００３０】
中間転写体ユニット７は、複数のローラ７１〜７４により巻回され、回動可能に支持された半導電性無端ベルト状の像担持体としての中間転写体７０を有する。
【００３１】
画像形成ユニット１０Ｙ、１０Ｍ、１０Ｃ、１０Ｋにより形成された各色のトナー像は、一次転写ローラ５Ｙ、５Ｍ、５Ｃ、５Ｋにより、中間転写体７０上に逐次転写されて、合成されたカラートナー像が形成される。給紙カセット２０内に収容された記録材Ｐは、給紙搬送装置２１により給紙され、複数の中間ローラ２２Ａ、２２Ｂ、２２Ｃ、２２Ｄと、レジストローラ２３とを有する搬送部を経て、二次転写位置に供給される。二次転写位置においては、転写電源（図示せず）によりバックアップローラとしてのローラ７４に印加された転写電圧によって、カラートナー像が記録材Ｐに一括転写される。カラートナー像が転写された記録材Ｐは、熱ローラ定と加圧ローラとを有する定着装置９により定着処理され、排紙ローラ２６に挟持されて機外の排紙トレイ２７上に載置される。
【００３２】
一方、記録材Ｐにカラートナー像を転写した後、記録材Ｐを曲率分離した中間転写体７０は、クリーニング装置６Ａによりクリーニングされる。
【００３３】
２８は裏面用給紙部であり、両面画像形成において第１面に画像が形成され、定着装置９を通過した記録材Ｐは裏面用給紙部２８に搬送され、裏面用給紙部２８からレジストローラ２３に搬送される。
【００３４】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。
【００３５】
また、画像形成装置Ａから筐体８を支持レール８２Ｌ、８２Ｒを介して引き出し可能にしてある。筐体８は、画像形成ユニット１０Ｙ、１０Ｍ、１０Ｃ、１０Ｋと、中間転写体ユニット７とを有し、筐体８の引き出し操作により、画像形成ユニット１０Ｙ、１０Ｍ、１０Ｃ、１０Ｋと、中間転写体ユニット７とは、一体となって、画像形成装置Ａから引き出される。
＜定着装置＞
（実施の形態１）
図２は本発明の実施１の形態に係る定着装置の構成を示す図である。
【００３６】
定着装置９は定着部材としての定着ローラ９１と、加圧部材としての加圧ベルト９２と、メインヒータとしてのヒータ９７と、外部加熱部材としての加熱ベルト１００と、サブヒータとしてのヒータ９９と、定着ローラ９１の表面温度を検知する温度センサＳＥ１と、加熱ベルト１００の温度を検知する温度センサＳＥ２と、外部加熱部材をクリーニングするクリーニング部材としてのクリーニングウェブ１０６とを有する。
【００３７】
定着ローラ９１は金属パイプからなる基体上にシリコンゴムからなる弾性層が、該弾性層の上にＰＦＡ（パーフルオロアルキルビニルエーテル）、ＰＴＦＥ（ポリテトラフルオロエチレン）等のフッ素樹脂からなる離型性の表面層がそれぞれ形成されたローラからなる。加圧ベルト９２はポリイミド（ＰＩ）等の耐熱性ベルトの基体上にＰＡ、ＰＴＦＥ等の離型性表面層が形成されたベルトからなる。加圧ベルト９２は支持ローラ９３、９４、９６とテンションローラ９５とに張架されており、記録材進入側の支持ローラ９３と記録材排出側の支持ローラ９４との間で定着ローラ９１に圧接して定着ニップＮＰを形成する。ヒータ９７、９９はハロゲンランプからなる。加熱ベルト１００は錫等の金属又はＰＩからなる。定着ローラ９１はヒータ９７と加熱ベルト１００とにより加熱される。
【００３８】
図示のように加熱ベルト１００は定着ローラ９１に接触し、加熱ローラ９８と支持ローラ１０１とに張架されている。加熱ローラ９８はヒータ９９により加熱され、加熱ベルト１００は加熱ローラ９８により加熱され、定着ローラ９１は加熱ベルト１００により加熱される。
【００３９】
加熱ベルト１００には、クリーニングウェブ１０６が接触する。クリーニングウェブ１０６は押圧ローラ１０７と巻取軸１０８と本巻き軸１０９とに張架され、クリーニングによりトナーで汚れた部分が更新されるように巻取軸１０８に巻き取られる。押圧ローラ１０７はスポンジローラからなり、クリーニングウェブ１０６を加熱ベルト１００に圧接させる。
【００４０】
クリーニングウェブ１０６は加熱ベルト１００を摺擦してクリーニングする。定着ローラ９１の表面は、クリーニングされた加熱ベルト１００によりクリーニングされる。巻取軸１０８はモータ（図示せず）の駆動で回転し、例えば、所定枚数の画像形成毎にクリーニングウェブ１０６の加熱ベルト１００に接触している部分を未使用部分で更新するように回転する。
【００４１】
画像形成工程の実行中、即ち、定着装置９の動作中においては、定着ローラ９１と加熱ベルト１００とが接触し、加熱ベルト１００とクリーニングウェブ１０６とが接触している。定着装置９の動作時に、定着ローラ９１がモータ（図示せず）の駆動で、矢印で示す時計方向に回転する。加圧ベルト９２と加熱ベルト１００とは、定着ローラ９１に従動する。
【００４２】
記録材Ｐは進入ガイド１１０Ａ、１１０Ｂによりガイドされて定着ニップＮＰに導入され、定着ニップＮＰを通過し排紙ローラ１０３Ａ、１０３Ｂにより搬送されて定着装置９から排出される。記録材Ｐは定着ニップＮＰにおいて、定着ローラ９１により加熱され、トナー像Ｔが記録材Ｐに定着される。定着処理において、定着ローラ９１からは、記録材Ｐにより熱が奪われる。これにより定着ローラ９１の表面の温度が低下する傾向があるが、定着ローラ９１をヒータ９７による内部加熱に加えて加熱ベルト１００により定着ローラ９１の表面から加熱することにより、定着ローラ９１の温度低下が避けられて良好な定着が行われる。
【００４３】
定着装置９が作動作しない休止時において、定着ローラ９１と加熱ベルト１００とが離間し、加熱ベルト１００とクリーニングウェブ１０６とが離間する。休止状態においては、また、定着ローラ９１の回転は停止し、クリーニングウェブ１０６が加熱ベルト１００から離間する。一方、加熱ローラ９８は定着装置９の休止時にモータ（図示せず）の駆動で回転し加熱ベルト１００を周回させる。したがって、休止時において、加熱ベルト１００は加熱ローラ９８によりベルト全長に亘り均一に加熱される。
【００４４】
ここに、定着装置９の休止時とは、画像形成工程が実行されているとき以外の時を言う。
【００４５】
したがって、休止時には、画像形成装置の電源オフ時、コピー釦の操作又は外部からの画像形成指令を受けて画像形成工程を開始することが可能な待機時及び制御部のＣＰＵの電源以外の電源がオフしたシャットオフ時が含まれる。
【００４６】
前述のように、定着ローラ９１と加熱ベルト１００とが接触離間するともに、加熱ベルト１００とクリーニングウェブ１０６とが接触離間する。このような動作を行う接触離間機構について次に説明する。なお、定着ローラ９１は定着装置の休止状態において、回転してもよい。
【００４７】
図３〜５は接触離間機構を示す。図３は加熱ベルト１００が定着ローラ９１に接触し、クリーニングウェブ１０６が加熱ベルト１００に接触している状態を示し、図４は加熱ベルト１００が定着ローラ９１から離間し、クリーニングウェブ１０６が加熱ベルト１００に接触している状態を示し、図５は加熱ベルト１００が定着ローラ９１から離間し、クリーニングウェブ１０６が加熱ベルト１００から離間している状態を示す。図３は定着装置９の作動中、即ち、画像形成工程の実行中における接触離間機構の状態を示し、図４は定着装置９が作動状態から休止状態に移行する移行過程の途中における状態を示し、図５は定着装置９の休止時の状態を示す。
【００４８】
定着装置９の休止状態とは、画像形成工程以外の時における状態であり、待機時、画像形成装置の電源がオフした電源オフ時、ジャム発生により画像形成装置が停止しているとき等における定着装置の状態である。
【００４９】
レバー１２０は軸１２０Ａに回転可能に支持され、バネ１２２により反時計方向に回転するように付勢されている。レバー１２３は軸１２３Ａに回転可能に支持され、レバー１２４は軸１２４Ａに回転可能に支持されている。
【００５０】
レバー１２０にはピン１２０Ｂが設けられ、ピン１２０ＢはモータＭＴにより回転駆動されるカム１２１にバネ１２２の付勢で圧接している。レバー１２０に設けられた突起１２０Ｃはレバー１２３に設けられた曲げ部１２３Ｂに作用する。レバー１２３に設けられたピン１２３Ｃは、レバー１２４に設けられた曲げ部１２４Ｂに作用する。レバー１２４の下端には、クリーニングウェブ１０６を加熱ベルト１００に押圧する押圧ローラ１０７が回転可能に支持されている。
【００５１】
図３では、加熱ローラ９８が加熱ベルト１００を定着ローラ９１に押圧し、加熱ベルト１００が定着ローラ９１に接触している。さらに、押圧ローラ１０７はクリーニングウェブ１０６を加熱ベルト１００に接触させている。また、図３では、曲げ部１２４Ｂがピン１２３Ｃから離間している。
【００５２】
モータＭＴが作動することにより、接触離間機構は図３の状態から図４の状態へ、さらに、図４の状態から図５の状態へと変化する。
【００５３】
まず、モータＭＴの駆動により、カム１２１がピン１２０Ｂを押し上げてレバー１２０を時計方向に回転させる。レバー１２０の回転により、加熱ローラ９８と支持１０１が定着ローラ９１から離れ、加熱ベルト１００が定着ローラ９１から離れる。また、突起１２０Ｃが曲げ部１２３Ｂを押し上げ、レバー１２３を反時計方向に回転させる。しかしながら、ピン１２３Ｃが曲げ部１２４に接触するまでは、レバー１２４は回転しない。即ち、図４では、押圧ローラ１０７がクリーニングウェブ１０６を加熱ベルト１００に接触させている。
【００５４】
カム１２１が図４の状態からさらに図５の状態に回転すると、突起１２０Ｃが曲げ部１２３Ｂを押し上げて、レバー１２３を反時計方向に回転させる。この回転により、ピン１２３Ｃが曲げ部１２４Ｂを押して、レバー１２４が時計方向に回転させる。レバー１２４の回転により押圧ローラ１０７が左方に移動し、クリーニングウェブ１０６が加熱ベルト１００から離間する。
【００５５】
前述のように本実施の形態においては、加熱ベルト１００が定着ローラ９１に接触し、クリーニングウェブ１０６が加熱ベルト１００に接触している作動状態から休止状態に移行する際に、最初に定着ローラ９１から加熱ベルト１００が離間し、次に、クリーニングウェブ１０６が加熱ベルト１００から離間する。
【００５６】
定着処理においては、定着ローラ９１と加熱ベルト１００とが接触し、加熱ベルト１００の温度が定着ローラ９１の温度よりも数度から数十度高く維持される。また、休止状態では、定着ローラ９１と加熱ベルト１００とが離間し、加熱ベルト１００の温度が定着ローラ９１の温度よりも数度から数十度高く維持される。
【００５７】
電源をオフしたときを含む休止状態において、加熱ベルト１００とクリーニングウェブ１０６とが離間しているので、電源オフにより、加熱ベルト１００の温度が低下して時に起こる加熱ベルト１００とクリーニングウェブ１０６との貼り付きが防止される。
【００５８】
休止状態にある定着装置９が作動状態に移行するときには、図５の状態から図４の状態を経て図３の状態へと逆動作が行われ、クリーニングウェブ１０６が加熱ベルト１００に接触し、次に、加熱ベルト１００が定着ローラ９１に接触する。
【００５９】
図３〜５に示し前述したように、定着装置９の休止時には、クリーニングウェブ１０６が加熱ベルト１００から離間するとともに、加熱ベルト１００が定着ローラ９１から離間する。
【００６０】
定着処理においては、定着装置内に記録材Ｐを通紙することにより、定着ローラ９１の熱が記録材Ｐに吸収されるが、加熱ベルト１００から熱を補給することにより、定着ローラ９１が所定の定着温度に維持される。このような温度制御では、加熱ベルト１００の温度は定着ローラ９１の温度よりも高く設定される。
【００６１】
前述したように、休止時に加熱ベルト１００を定着ローラ９１から離間させることにより、加熱ベルト１００の温度を定着ローラ９１の温度よりも高く維持するという温度制御が安定して行われる。
（実施の形態２）
図６は、本発明の実施の形態２に係る定着装置を示す図である。図５に示す実施の形態では、定着ローラ９１と加熱ローラ９８との間の接触離間と、加熱ローラ９８とクリーニングローラ１３２との間の接触離間とが、２個の駆動源ＤＲ１、ＤＲ３からなる接触離間機構により行われる。駆動源ＤＲ１、ＤＲ２は、モータからなり、２個のモータを個々に制御することにより、定着ローラ９１と加熱ローラ９８との間の接触離間と、加熱ローラ９８とクリーニングローラ１３２との間の接触離間とを異なるタイミングで行ったり、定着ローラ９１と加熱ローラ９８との接触状態を保持した状態で、加熱ローラ９８とクリーニングローラ１３２とを離間させたり、様々な接触離間動作を必要に応じて行うことが可能となる。
【００６２】
図６において、９１はトナー像を定着する定着部材としての定着ローラ、１３０は記録材を定着ローラ９１に圧接させる加圧部材としての加圧ローラ、９７はメインヒータとしてのヒータ、９８は定着ローラ９１の表面を加熱する外部加熱部材としての加熱ローラ、９９は加熱ローラ９８を加熱するサブヒータとしてのヒータ、１３２は加熱ローラ９８をクリーニングするクリーニング部材としてのクリーニングローラである。加熱ローラ９８は定着部材を外部から加熱する外部加熱部材を構成する。実施の形態１における部品と同一の部品は同一の符号で示し、それらの説明を省略する。
【００６３】
加圧ローラ１３０は金属パイプからなる基体上にシリコンゴムからなる弾性層が、弾性層の上にＰＦＡ、ＰＴＦＥ等のフッ素樹脂からなる離型性の表面層がそれぞれ形成されたローラからなる。クリーニングローラ１３２はスポンジからなり、クリーニングローラ１３２に回収された汚染物質が蓄積した段階で、モータ（図示せず）の駆動で回転し、未使用の部分が加熱ローラ９８に接触する。なお、クリーニングローラ１３２から汚染物質を掻き取る掻き取り部材を設けることも可能である。
【００６４】
定着装置９の作動状態である、図６（ａ）では、加熱ローラ９８は定着ローラ９１に接触し、クリーニングローラ１３２は加熱ローラ９８に接触する。定着ローラ９１と加圧ローラ１３０とは図６（ａ）の圧接状態で矢印のように回転し、定着ローラ９１と加圧ローラ１３０との間の定着ニップを通過する記録材を定着処理する。
【００６５】
定着装置９は休止時には、図６（ｃ）の状態にあり、定着ローラ９１と加圧ローラ１３０、定着ローラ９１と加熱ローラ９８と、加熱ローラ９８とクリーニングローラ１３２とはそれぞれ離間している。
【００６６】
図６（ｂ）は中間の状態を示し、定着ローラ９１と加熱ローラ９８とが離間し、加熱ローラ９８とクリーニングローラ１３２とが接触している。
【００６７】
図６（ａ）〜図６（ｃ）に示す状態に設定するために、加熱ローラ９８と、加圧ローラ１３０と、クリーニングローラ１３２とをそれぞれ変位させる駆動源ＤＲ１〜ＤＲ３が設けられる。
【００６８】
次に、定着装置９の制御の例について説明する。前述した定着装置９では、定着部材と外部加熱部材とが接触離間し、外部加熱部材とクリーニング部材が接触離間する。これにより、定着部材と外部加熱部材との間での接触離間の切り替えと、外部加熱部とクリーニング部材との間での接触離間の切り替えとを、異なるタイミングで実行することが可能となるのみでなく、次に説明する実施の形態のように、定着部材と外部加熱部材との接触を継続しながら、外部加熱部材とクリーニング部材との接触離間の切り替えを行うなど、様々な動作が可能となる。したがって、本発明により、画像形成装置の多様な作動に適合するように定着装置を作動させることが可能となるとともに、様々な状態やニーズに適合した定着装置を作ることが可能となる。
（実施の形態３）
図７は定着装置９の制御の第１例である本発明の実施の形態３における制御のフローチャートである。図７の「開始」は、画像形成装置のメインスイッチがオンし時又は定着電源をオフした低エネルギー消費状態であるシャットオフ状態が解除した状態である。
【００６９】
ステップＳＴ１において、ヒータ９７、９９をオンしてウォームアップが開始される。温度センサＳＥ１により検知された定着ローラ９１の温度が所定の定着温度に達し、ウォームアップが完了すると（ＳＴ２のＹ）、ステップＳＴ３において、モータＭＴ（図３〜５参照）が作動して、定着ローラ９１に加熱ベルト１００を接触させるとともに、加熱ベルト１００にクリーニングウェブ１０６を接触させる。ＳＴ３における接触離間機構の動作は前述したとおりであり。最初に、加熱ベルト１００とクリーニングウェブ１０６とが接触し、次に、定着ローラ９１と加熱ベルト１００とが接触する。
【００７０】
次に、画像形成工程であるプリントが行われる（ＳＴ４）。プリントにおいては、温度センサＳＥ１、ＳＥ２の検知温度に基づいて、ヒータ９７、９９をオン／オフさせることにより、定着ローラ９１の表面温度が所定の定着温度に維持される。
【００７１】
プリント中或いはプリント終了時に副電源をオフしてＣＰＵ以外の各部をオフされると（ＳＴ５）。本実施の形態においては、ステップＳＴ５の副電源オフ後もモータＭＴの電源は保持されており、次のステップＳＴ６の実行中保持される。
【００７２】
ステップＳＴ６において、モータＭＴが作動して、加熱ベルト１００を定着ローラ９１から離間させるとともに、加熱ベルト１００からクリーニングウェブ１０６を離間させる。
【００７３】
図８は定着装置９の制御の第２例である本発明の実施の形態４における制御のフローチャートである。図８の例では、定着ローラ９１と加熱ベルト１００との接触離間と、加熱ベルト１００とクリーニングウェブ１０６の接触離間とは、異なる駆動源（例えば図６におけるＤＲ１、ＤＲ３）により実行される。そして本実施の形態では、定着ローラ９１と加熱ベルト１００との間での接触から離間への切り替え及び離間から接触への切り替えと、加熱ベルト１００とクリーニングウェブ１０６との間での接触から離間への切り替え及び離間から接触へとの切り替えとが、切り離して実行される。
【００７４】
ステップＳＴ１０では、定着ローラ９１を所定の定着温度に維持し加熱ベルト１００を所定の温度に維持するなど、定着装置９を作動可能な状態にすることが行われる。なお、ステップＳＴ１０の直前では、加熱ベルト１００は定着ローラ９１に接触しており、クリーニングウェブ１０６は加熱ベルト１００から離間しており、定着ローラ９１の温度は定着温度である。即ち、図８のフローの開始段階は、定着装置が待機状態となっている状態である。
【００７５】
プリントスタート指令、即ち、コピーボタンの操作や、外部器機器からのプリント指令があると（ＳＴ１１のＹ）、ステップＳＴ１２において、クリーニングウェブ１０６が加熱ベルト１００に接触する。
【００７６】
クリーニングウェブ１０６が接触した後に、ステップＳＴ１３においてプリントが実行される。
【００７７】
プリントが終了すると（ＳＴ１４のＹ）、ステップＳＴ１５において、クリーニングウェブ１０６が加熱ベルト１００から離間して終了する。
【００７８】
図９は定着装置９の制御の第３例である本発明の実施の形態５における制御のフローチャートである。図９の例では、定着ローラ９１と加熱ベルト１００との接触離間と、加熱ベルト１００とクリーニングウェブ１０６の接触離間とは、同一タイミングで実行される。
【００７９】
図８におけるステップと同一のステップを同一の符号で示し、その説明を省略する。
【００８０】
なお、本実施の形態においては、「開始」の状態において、加熱ベルト１００が定着ローラ９１から離間し、クリーニングウェブ１０６が加熱ベルト１００から離間している。
【００８１】
ステップＳＴ１２Ａにおいて、加熱ベルト１００が定着ローラ９１に接触し、クリーニングウェブ１０６が加熱ベルト１００に接触する。
【００８２】
ステップＳＴ１５Ａにおいて、加熱ベルト１００が定着ローラ９１から離間し、クリーニングウェブ１０６が加熱ベルト１００から離間する。
【符号の説明】
【００８３】
９定着装置
９１  定着ローラ
９２  加圧ベルト
９７、９９  ヒータ
１００  加熱ベルト
１０６  クリーニングウェブ
９８、加熱ローラ
１３２  クリーニングローラ
【図１】
0005549341.tif 000002
【図２】
0005549341.tif 000003
【図３】
0005549341.tif 000004
【図４】
0005549341.tif 000005
【図５】
0005549341.tif 000006
【図６】
0005549341.tif 000007
【図７】
0005549341.tif 000008
【図８】
0005549341.tif 000009
【図９】
0005549341.tif 000010